(57)【特許請求の範囲】
【請求項１】
上面が開放した箱形をなし、互いに対向する１対の第１側壁を下端部を中心に回動させて折り畳んでから、残りの１対の第２側壁を下端部を中心に回動して折り畳むことが可能であるコンテナにおいて、
前記コンテナの下面のうち前記第１側壁及び前記第２側壁の真下より内側の領域から突出し、前記コンテナを段積みしたときに下段側の前記コンテナの上面開口内に嵌合される下面メイン突部と、
前記コンテナの下面の四隅で、前記第１側壁及び前記第２側壁の真下の領域から突出し、前記下面メイン突部の下面と面一の下面を有する下面サブ突部と、
前記コンテナの上面の四隅で隣り合った前記第１側壁と前記第２側壁とに亘って形成され、前記コンテナを段積みしたときに、上段側の前記コンテナの前記下面サブ突部を受容する突部受容凹部と、
前記下面サブ突部の下面に形成されたコーナー係合凹部と、
前記第１側壁に形成されて、前記突部受容凹部の底面から突出し、前記コンテナを段積みしたときに、上段側の前記コンテナの前記コーナー係合凹部と係合して、上下の前記コンテナ同士の横ずれを規制するコーナー係合突部と、
前記第２側壁の両側部から張り出して、前記第１側壁の両側部の外側に重ねられるサイド突片と、
前記サイド突片に形成されたサイド係合孔部と、
前記第１側壁の両側部の外面から突出し、前記サイド係合孔部に係合するサイド係合突部とを備え、
前記コーナー係合突部は、前記第１側壁同士の対向方向から見て、前記サイド突片と重なる位置に配置されていることを特徴とするコンテナ。
【請求項２】
前記第２側壁同士の対向方向で、前記コーナー係合突部の少なくとも一部とサイド係合突部の少なくとも一部とが同じ位置に配置されていることを特徴とする請求項１に記載のコンテナ。
【発明の詳細な説明】
【技術分野】
【０００１】
本発明は、上面が開放した箱形をなし、互いに対向する１対の第１側壁を下端部を中心に回動させて折り畳んでから、残りの１対の第２側壁を下端部を中心に回動して折り畳むことが可能なコンテナに関する。
【背景技術】
【０００２】
従来、この種のコンテナとして、段積みした場合に、上段側のコンテナが有する下面突部が、下段側のコンテナの上面開口内に嵌合して横ずれを防ぐ構造のものが知られている。また、このコンテナの第２側壁の両側部には、第１側壁の側部に外側から重ねられるサイド突片が備えられ、サイド突片に形成されたサイド係合孔部と、第１側壁の側部の外面から突出したサイド係合突部との係合により、隣り合った第１側壁と第２側壁とが連結されるようになっている（例えば、特許文献１参照）。
【先行技術文献】
【特許文献】
【０００３】
【特許文献１】特許第３８８３９８４号(図１及び図９）
【発明の概要】
【発明が解決しようとする課題】
【０００４】
ところで、コンテナは、荷物を収容した状態で段積みされて車両に搭載され、搬送されることがある。また、車両の加減速時に多大な横荷重が下段側のコンテナの１つの側壁にかかる場合がある。そのような場合、上記した従来のコンテナでは、横荷重を受けた側壁が外側に押し曲げられて側壁同士が分離する事態が生じ得た。特に、第２側壁が多大な荷重を受けたときには、サイド係合突部が剪断される事態も生じ得た。
【０００５】
本発明は、上記事情に鑑みてなされたもので、段積み状態における横荷重に対する強度が従来より高いコンテナの提供を目的とする。
【課題を解決するための手段】
【０００６】
上記目的を達成するためになされた請求項１の発明に係るコンテナは、上面が開放した箱形をなし、互いに対向する１対の第１側壁を下端部を中心に回動させて折り畳んでから、残りの１対の第２側壁を下端部を中心に回動して折り畳むことが可能であるコンテナにおいて、コンテナの下面のうち第１側壁及び第２側壁の真下より内側の領域から突出し、コンテナを段積みしたときに下段側のコンテナの上面開口内に嵌合される下面メイン突部と、コンテナの下面の四隅で、第１側壁及び第２側壁の真下の領域から突出し、下面メイン突部の下面と面一の下面を有する下面サブ突部と、コンテナの上面の四隅で隣り合った第１側壁と第２側壁とに亘って形成され、コンテナを段積みしたときに、上段側のコンテナの下面サブ突部を受容する突部受容凹部と、下面サブ突部の下面に形成されたコーナー係合凹部と、第１側壁に形成されて、突部受容凹部の底面から突出し、コンテナを段積みしたときに、上段側のコンテナのコーナー係合凹部と係合して、上下のコンテナ同士の横ずれを規制するコーナー係合突部と、第２側壁の両側部から張り出して、第１側壁の両側部の外側に重ねられるサイド突片と、サイド突片に形成されたサイド係合孔部と、第１側壁の両側部の外面から突出し、サイド係合孔部に係合するサイド係合突部とを備え、コーナー係合突部は、第１側壁同士の対向方向から見て、サイド突片と重なる位置に配置されているところに特徴を有する。
【０００９】
請求項２の発明は、請求項１に記載のコンテナにおいて、第２側壁同士の対向方向で、コーナー係合突部の少なくとも一部とサイド係合突部の少なくとも一部とが同じ位置に配置されているところに特徴を有する。
【発明の効果】
【００１０】
請求項１のコンテナでは、段積みしたときに上下のコンテナの下面及び上面の四隅でコーナー係合突部とコーナー係合凹部とが係合するので、段積み状態で受ける横荷重を従来より広く分散させて受け止めることができる。これにより、段積み状態における横荷重に対する強度が従来より高くなり、１つの側壁が外側に押し曲げられて隣り合った側壁同士が分離するような事態が防がれる。また、コーナー係合突部は、突部受容凹部の底面から突出しているので、コンテナに荷物を出し入れする際にコーナー係合突部が邪魔になることもない。
【００１１】
また、段積み状態のコンテナが受ける横荷重で下段側のコンテナの第２側壁が押圧される場合に、その横荷重は、下段側のコンテナの第１側壁が有するサイド係合突部のみならずコーナー係合突部によっても受け止められる。これにより、サイド係合突部の負担が軽減されて従来のようにサイド係合突部が剪断されるような事態が防がれる。
【００１２】
さらには、段積み状態のコンテナが受ける横荷重で下段側のコンテナの第１側壁が押圧された場合、第１側壁同士の対向方向から見てサイド突片とコーナー係合突部とが重なる位置に配置されているので、サイド突片が受ける横荷重とコーナー係合突部が受ける横荷重とによって、コンテナのうちサイド突片とコーナー係合突部との間が曲げ変形するような事態が防がれ、強度が高くなる。
【００１３】
また、段積み状態のコンテナが受ける横荷重で下段側のコンテナの第１側壁が押圧されると、その第１側壁の横方向の中央が膨らむように第１側壁が膨出変形し、第１側壁を横方向で第２側壁からずらす力が作用する場合がある。このような場合であっても、請求項２の構成によれば、第２側壁同士の対向方向で、コーナー係合突部の少なくとも一部とサイド係合突部の少なくとも一部とが同じ位置に配置されているので、それらコーナー係合突部及びサイド係合突部の一方の負担が急減することが防がれ、両方で横荷重に対抗することができる。
【図面の簡単な説明】
【００１４】
【図１】本発明の一実施形態に係るコンテナの上面側の斜視図
【図２】折り畳まれる途中又は組み立てられる途中のコンテナの斜視図
【図３】折畳状態のコンテナの斜視図
【図４】第１側壁を折り畳む途中の部分斜視図
【図５】第１側壁を折り畳んだ状態の部分斜視図
【図６】コンテナの下面側の斜視図
【図７】コンテナの下面側の部分斜視図
【図８】コンテナの上面側の部分斜視図
【図９】コンテナの一部を縦方向に切断した一部破断の斜視図
【図１０】段積みされたコンテナの斜視図
【図１１】段積み途中のコンテナにおけるコーナー部分の斜視図
【図１２】段積されたコンテナにおけるコーナー部の一部破断の斜視図
【図１３】段積みされたコンテナの嵌合部分の平断面図
【発明を実施するための形態】
【００１５】
以下、本発明の一実施形態を図１〜図１３に基づいて説明する。図１に示すように、本実施形態のコンテナ１０は、上面が開放した箱形で平面形状が例えば長方形をなし、その長辺部分に本発明に係る１対の第１側壁２１，２１を備える一方、短辺部分に本発明に係る１対の第２側壁３１，３１を備えている。そして、図２に示すように１対の第１側壁２１，２１を下端部を中心に回動させて折り畳んでから、図３に示すように１対の第２側壁３１，３１を下端部を中心に回動させて折り畳むことで、コンテナ１０が折畳状態になる。また、それとは逆の順序で、図２に示すように１対の第２側壁３１，３１を起立させてから図１に示すように１対の第１側壁２１，２１を起立させると、コンテナ１０が組立状態になる。
【００１６】
具体的には、コンテナ１０のうち第１及び第２の側壁２１，３１を回動可能に支持するベース部材１１は、長方形の底板部１２における１対の長辺側外縁部から１対の第１支持壁１３，１３が起立すると共に、１対の短辺側外縁部から１対の第２支持壁１４，１４が起立した構造をなしている。また、第２支持壁１４は、第１支持壁１３より高くなっている。ベース部材１１には、上面と内面とに開放した複数のヒンジ凹部１５が形成されている。図５に示すように、各ヒンジ凹部１５内の横幅は、第１と第２の支持壁１３，１４の内側面開口の開口幅より広くなっている。また、ヒンジ凹部１５内の上端部には、内側面開口の両側に１対の係止突起１５Ｔ，１５Ｔが形成されている。これに対し、第１側壁２１及び第２側壁３１の下端部からは、複数のヒンジ脚部１６が突出していて、各ヒンジ脚部１６の下端部の両側面から図示しない１対のヒンジ軸部が突出している。そして、各ヒンジ脚部１６が各ヒンジ凹部１５に受容されると共に、各ヒンジ脚部１６の１対のヒンジ軸部がヒンジ凹部１５内の１対の係止突起１５Ｔ，１５Ｔに下方から係止している。
【００１７】
これにより、第１側壁２１が第１支持壁１３上で垂直に起立した起立姿勢（図１参照）と、底板部１２上で水平になった折畳姿勢（図３参照）とに変更することができると共に、起立姿勢から外側に回動することが規制される。また、第２側壁３１に関しても同様に起立姿勢（図１参照）と折畳姿勢（図３参照）とに変更することができると共に、起立姿勢から外側に回動することが規制されている。
【００１８】
図２に示すように、各第１側壁２１は、起立姿勢の１対の第２側壁３１，３１の間に挟まれる大きさになっている。これにより、図１に示すようにコンテナ１０が組立状態になると、１対の第２側壁３１，３１が、第１側壁２１により内側への回動を規制される。
【００１９】
図２に示すように、第２側壁３１の両側部からは、第１側壁２１，２１側にサイド突片３２が張り出している。そして、図１に示すように、コンテナ１０の組立状態になると、各第２側壁３１のサイド突片３２が各第１側壁２１の外面の側部に重なり、第１側壁２１の外側への回動が規制される。また、図５に示すように、サイド突片３２は、第２側壁３１の上端部から上下方向の略中央位置に亘って形成された縦長の第１サイド突片３２Ａと、第２側壁３１の下端寄り位置に形成された第２サイド突片３２Ｂとからなる。
【００２０】
第１サイド突片３２Ａには、上端部及び下端部とにそれぞれ四角形のサイド係合孔部３３が形成されている。また、第２サイド突片３２Ｂには、第１サイド突片３２Ａの下端部のサイド係合孔部３３と同じ大きさのサイド係合孔部３３が形成されている。なお、第２サイド突片３２Ｂは、サイド係合孔部３３より一回り大きな四角形をなしている。
【００２１】
一方、第１側壁２１の外面の両側部は、第１及び第２のサイド突片３２Ａ，３２Ｂと重なる部分が、それら第１及び第２のサイド突片３２Ａ，３２Ｂの厚さ分だけ陥没していて、その陥没部分の複数のサイド係合孔部３３に対応した位置から複数のサイド係合突部２３が突出している。そして、コンテナ１０が組立状態になると、サイド係合孔部３３にサイド係合突部２３が凹凸係合し、これにより、第２側壁３１が外側に倒れることが規制される。
【００２２】
図１に示すように、コンテナ１０の組立状態で１対の第１側壁２１，２１が内側に倒れることを規制するために、各第１側壁２１には、ロック機構１７が備えられる一方、第２側壁３１には、ロック係合部３７(図４参照)が備えられている。具体的には、ロック機構１７は、各第１側壁２１の外面上部における横方向の中央部からそれぞれ横方向の両端部まで延びた１対のロックバー１８，１８と、第１側壁２１の外面上部における横方向の中央部で横方向に延び、両端部に１対のロックバー１８，１８が連結したロック操作部１９とからなり、それらロック操作部１９の両端部とロックバー１８，１８との連結部分がカバー１７Ａによって外側から覆われている。また、１対のロックバー１８，１８は、それらの先端が第１側壁２１の横方向の両端面と略同一位置に配置されたロック位置と、そのロック位置より第１側壁２１の横方向の中央側にずれたロック解除位置との間をスライドし、通常はロック位置に配置されるように付勢されている。そして、ロック操作部１９を下方に回動するように操作することで、ロックバー１８，１８がロック解除位置に移動する。
【００２３】
一方、ロック係合部３７は、図４に示すように、第２側壁３１の第１サイド突片３２Ａにおける内面から突出しかつ上下に並んだ１対の脚部３７Ａ，３７Ａの間を架橋部３７Ｂで連絡した門形構造をなしている。そして、コンテナ１０の組立状態で、ロックバー１８の先端部がロック係合部３７の内側に係合することで第１側壁２１が内側に倒れることが規制される。なお、ロックバー１８の先端部には、図５に示すように傾斜面１８Ｔが形成されていて、第２側壁３１，３１が起立した状態で第１側壁２１を起こすと、ロックバー１８の傾斜面１８Ｔがロック係合部３７の架橋部３７Ｂに摺接することでロックバー１８の先端部が架橋部３７Ｂを乗り越えてロック係合部３７に係合する。
【００２４】
図６に示すように、コンテナ１０の下面には、１対の下面突部４０，４０が形成されている。具体的には、コンテナ１０の下面がその長手方向の中央で２つの半面領域Ｒ１，Ｒ１に分割され、図７に示すように、各半面領域Ｒ１の外縁に沿った枠状領域Ｒ２より内側部分全体から下面メイン突部４１が突出すると共に、枠状領域Ｒ２の四隅から１対の下面サブ突部４２，４２及び１対の下面中央突部４３，４３が突出している。そして、それら下面メイン突部４１、下面サブ突部４２及び下面中央突部４３から下面突部４０が構成されている。
【００２５】
下面メイン突部４１は、枠状領域Ｒ２の内側境界線に沿って形成された包囲リブ４１Ａと、その包囲リブ４１Ａの内側全体に張り巡らされた格子リブ４１Ｂとからなる。
【００２６】
１対の下面サブ突部４２，４２は、コンテナ１０の下面における長手方向の両端部に配置されている。各下面サブ突部４２は、枠状領域Ｒ２の角部外縁寄り位置に配置されて、包囲リブ４１Ａの角部を側方から覆ったＬ字形のＬ字壁４２Ａと、Ｌ字壁４２Ａの両端部と包囲リブ４１Ａの角部寄り位置との間を連絡し、Ｌ字壁４２Ａから包囲リブ４１Ａに向かうに従って包囲リブ４１Ａの角部から離れるように傾斜した１対の傾斜リブ４２Ｂ，４２Ｂと、包囲リブ４１Ａ及び格子リブ４１Ｂの延長線上に延びて包囲リブ４１ＡとＬ字壁４２Ａとの間を連絡する仕切リブ４２Ｃとからなる。
【００２７】
１対の下面中央突部４３，４３は、コンテナ１０の下面における長手方向の中央側に配置され、下面サブ突部４２と同様に、Ｌ字壁４３Ａと１対の傾斜リブ４３Ｂ，４３Ｂと仕切リブ４３Ｃとからなる。また、下面中央突部４３のうち起立状態の第１側壁２１の真下となる部分（即ち、第１支持壁１３の真下となる位置）には、下面メイン突部４１寄り位置に、第１側壁２１の横方向に延びた係合溝４３Ｄが形成されている。係合溝４３Ｄは、下面中央突部４３の下端部を角溝状に切り欠いた形状をなしている。
【００２８】
上記した枠状領域Ｒ２のうち１対の下面メイン突部４１，４１に挟まれた部分を除いた全体は、起立姿勢の第１及び第２の側壁２１，３１の真下（即ち、第１及び第２の支持壁１３，１４の真下）に位置する。即ち、コンテナ１０の下面のうち枠状領域Ｒ２より内側部分全体に形成された下面メイン突部４１，４１は、コンテナ１０の下面のうち第１及び第２の側壁２１，３１の真下より内側の領域から突出した構造になっている。これにより、図１０に示すようにコンテナ１０，１０同士を段積みしたときに、上段側のコンテナ１０の下面メイン突部４１，４１が、下段側のコンテナ１０の上面開口の内側、即ち、第１及び第２の側壁２１，３１の内側に嵌合される。
【００２９】
図１に示すように、コンテナ１０の上面には、下面サブ突部４２及び下面中央突部４３（図６参照）を受容するための突部受容凹部５０及び中央突部受容凹部５３が形成されている。
【００３０】
中央突部受容凹部５３は、コンテナ１０，１０を段積みしたときに、上段側のコンテナ１０の下面中央突部４３の一部を受容するためのものであって、各第１側壁２１の上面中央部分で、それら第１側壁２１の上面の長手方向に延びた領域を段付き状に陥没させてなる。また、図８に示すように、中央突部受容凹部５３より第１側壁２１の外面側には、第１側壁２１の一部が外側垂直壁５３Ｗとして残されている。さらに、中央突部受容凹部５３より第１側壁２１の内面側には、外側垂直壁５３Ｗより低い内側垂直壁５３Ｖが残されている。そして、外側垂直壁５３Ｗ及び内側垂直壁５３Ｖが各長手方向の中心位置の間が中央区画壁５４によって連絡されて、中央突部受容凹部５３が２つに分割されている。また、中央突部受容凹部５３のうち中央区画壁５４から離れた側の端部は、下面中央突部４３の傾斜リブ４３Ｂ，４３Ｂ（図７参照）と平行になるように外側垂直壁５３Ｗの内面に対して傾斜している。そして、図１０に示すようにコンテナ１０，１０を段積みすると、図１３に示すように、上段側のコンテナ１０の各下面中央突部４３のうち係合溝４３Ｄより外側部分が、下段側のコンテナ１０の各中央突部受容凹部５３に受容され、上段側のコンテナ１０の係合溝４３Ｄに、下段側のコンテナ１０の内側垂直壁５３Ｖが受容される。
【００３１】
一方、突部受容凹部５０は、コンテナ１０，１０を段積みしたときに、上段側のコンテナ１０の下面サブ突部４２を受容するためのものであって、図１に示すように、コンテナ１０の上面の四隅の角部で隣り合った第１側壁２１と第２側壁３１とに亘る略Ｌ字状の領域を段付き状に陥没させてなる。また、図８に示すように、突部受容凹部５０より第１側壁２１及び第２側壁３１の外面側には、第１側壁２１及び第２側壁３１の一部が垂直壁５０Ｗとして残され、その垂直壁５０Ｗの一部は、前記したサイド突片３２の上端部で構成されている。また、第１側壁２１には、サイド突片３２が重なる部分よりさらに角部から離れた位置に亘って突部受容凹部５０が形成されている。なお、突部受容凹部５０のうち角部から離れた２つの内側面は、下面サブ突部４２の傾斜リブ４２Ｂ，４２Ｂと平行になるように垂直壁５０Ｗの内面に対して傾斜している。
【００３２】
第１側壁２１における突部受容凹部５０の底面からは、コーナー係合突部５１が突出している。コーナー係合突部５１は角柱状をなし、第１側壁２１，２１同士が対向する第１水平方向Ｈ１から見ると、コーナー係合突部５１全体がサイド突片３２と重なる位置に配置されている。また、図９に示すように、第２側壁３１，３１同士が対向する第２水平方向Ｈ２では、コーナー係合突部５１は、サイド係合突部２３及びサイド係合孔部３３と略同一の位置に配置されている。より詳細には、図１１に示すように、第２水平方向Ｈ２において、コーナー係合突部５１は、サイド係合突部２３及びサイド係合孔部３３より僅かに第２側壁３１から離れる側にずれていて、コーナー係合突部５１の一部と、サイド係合突部２３及びサイド係合孔部３３の一部とが、第２水平方向Ｈ２で重なる位置に配置されている。
【００３３】
なお、図９に示すように、コーナー係合突部５１の上面は、第１及び第２の側壁２１，３１の上面より下方に位置している。
【００３４】
図１０に示すようにコンテナ１０，１０同士が段積みされると、図１２に示すように、下面サブ突部４２が突部受容凹部５０に受容され、コーナー係合突部５１が下面サブ突部４２のうち仕切リブ４２Ｃにて仕切られた１つの凹部としてのコーナー係合凹部４２Ｄに係合する。図１３に示すように、コーナー係合凹部４２Ｄは、第２水平方向Ｈ２で対向する１対の仕切リブ４２Ｃ，４２Ｃと、第１水平方向Ｈ１で対向するＬ字壁４２Ａ及び包囲リブ４１Ａとに四方を囲まれた構造をなしている。また、図１３に示すように、１対のコンテナ１０，１０が水平方向で相互にずれることなく段積されると、第１水平方向Ｈ１においては、コーナー係合突部５１とコーナー係合凹部４２Ｄの包囲リブ４１Ａとの間に隙間Ｌ１が形成されると共に、コーナー係合突部５１とコーナー係合凹部４２ＤのＬ字壁４２Ａとの間に隙間Ｌ２が形成される。また、第２水平方向Ｈ２において、コーナー係合突部５１と下面中央突部４３から離れた側の仕切リブ４２Ｃとの間に隙間Ｌ３が形成されると共に、コーナー係合突部５１と下面中央突部４３側の仕切リブ４２Ｃとの間に隙間Ｌ４が形成される。そして、それら隙間Ｌ１〜Ｌ４のうち隙間Ｌ１〜Ｌ３は互いに略同一であり、隙間Ｌ４は、隙間Ｌ１〜Ｌ３より大きくなっている。また、第１水平方向Ｈ１における下面メイン突部４１と第１側壁２１の内側面との間の隙間Ｌ５や、第２水平方向Ｈ２における、下面メイン突部４１と第２側壁３１の内側面との間の隙間Ｌ６、下面中央突部４３と中央区画壁５４との間の隙間Ｌ７、及び、下面サブ突部４２と垂直壁５０Ｗとの間の隙間Ｌ８に対し、前記したコーナー係合突部５１に係る隙間Ｌ１〜Ｌ３は、製造上のばらつきの範囲で略同一になっている。
【００３５】
なお、図３に示すように、ベース部材１１の第２支持壁１４，１４には、それらの上面における長手方向の両端部に支持壁凹部５５，５５が形成されている。支持壁凹部５５は、前述した突部受容凹部５０のうち第２支持壁１４の真上に位置した部分と同一形状をなしていて、コンテナ１０を折畳状態にして、その上に別のコンテナ１０を段積みしたときに、上段側のコンテナ１０の下面サブ突部４２が支持壁凹部５５に受容される。
【００３６】
本実施形態のコンテナ１０の構成の説明は、以上である。次に、このコンテナ１０の作用効果について説明する。本実施形態のコンテナ１０は、荷物を収容した状態で複数段積みされて車両に搭載され、搬送されることがある。そして、車両の加減速時に多大な横荷重が下段側のコンテナ１０の第１側壁２１又は第２側壁３１にかかる場合がある。そのような場合、本実施形態のコンテナ１０では、段積みしたときに上下のコンテナ１０，１０の下面及び上面の四隅でコーナー係合突部５１とコーナー係合凹部４２Ｄとが係合するので、段積み状態で受ける横荷重を従来より広く分散させて受け止めることができる。これにより、段積み状態における横荷重に対する強度が従来より高くなり、第１側壁２１又は第２側壁３１が外側に押し曲げられて第１側壁２１と第２側壁３１とが分離するような事態が防がれる。
【００３７】
具体的には、段積み状態のコンテナ１０，１０が受ける横荷重で下段側のコンテナ１０の一方の第２側壁３１が押圧される場合に、その横荷重は、下段側のコンテナ１０の一方の第２側壁３１と上段側のコンテナ１０の下面メイン突部４１との当接と、下段側のコンテナ１０の他方の第２側壁３１側のコーナー係合突部５１，５１と上段側のコンテナ１０のコーナー係合凹部４２Ｄ，４２Ｄの内面との当接と、下段側のコンテナ１０の下面中央突部４３と上段側のコンテナ１０の中央区画壁５４との当接と、下段側のコンテナ１０のサイド係合突部２３と上段側のコンテナ１０のサイド係合孔部３３との当接とによって受け止められる。このように、本実施形態のコンテナ１０によれば、横荷重を従来より広く分散させて受け止めることができ、横荷重に対する強度が従来より高くなる。また、サイド係合突部２３の負担が軽減されて剪断が防がれる。
【００３８】
段積み状態のコンテナ１０が受ける横荷重で下段側のコンテナ１０の一方の第１側壁２１が押圧された場合、下段側のコンテナ１０の一方の第１側壁２１と上段側のコンテナ１０の下面メイン突部４１との当接と、下段側のコンテナ１０の他方の第１側壁２１側のコーナー係合突部５１，５１と上段側のコンテナ１０のコーナー係合凹部４２Ｄ，４２Ｄの内面との当接と、下段側のコンテナ１０の一方の第１側壁２１とサイド突片３２との当接と、下段側のコンテナ１０の内側垂直壁５３Ｖと上段側のコンテナ１０の下面中央突部４３における係合溝４３Ｄの内面との当接とによって受け止められる。このように、本実施形態のコンテナ１０によれば、横荷重を従来より広く分散させて受け止めることができ、横荷重に対する強度が従来より高くなる。しかも、コーナー係合突部５１は、第１側壁２１，２１同士の対向方向から見てサイド突片３２と重なる位置に配置されているので、サイド突片３２が受ける横荷重とコーナー係合突部５１が受ける横荷重とによって、コンテナ１０のうちサイド突片３２とコーナー係合突部５１との間が曲げ変形するような事態が防がれ、この点においてもコンテナ１０の強度が高くなる。
【００３９】
また、段積み状態のコンテナ１０が受ける横荷重で下段側のコンテナ１０の第１側壁２１が押圧されると、その第１側壁２１の横方向の中央が膨らむように第１側壁２１が膨出変形して、第１側壁２１を横方向で第２側壁３１からずらす力が作用する場合がある。このような場合であっても、本実施形態のコンテナ１０では、第２側壁３１同士の対向方向で、コーナー係合突部５１の少なくとも一部とサイド係合突部２３の少なくとも一部とが同じ位置に配置されているので、それらコーナー係合突部５１及びサイド係合突部２３の一方の負担が急減することが防がれ、両方で横荷重に対抗することができる。なお、コーナー係合突部５１は、突部受容凹部５０の底面から突出しているので、コンテナ１０に荷物を出し入れする際にコーナー係合突部５１が邪魔になることもない。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記実施形態のコンテナ１０では、コーナー係合突部５１が突部受容凹部５０のうち第１側壁２１側の底面のみに設けられていたが、各突部受容凹部５０における第２側壁３１側の底面のみにコーナー係合突部５１を設けてもよいし、各突部受容凹部５０における第１側壁２１側の底面と第２側壁３１側の底面との両方にそれぞれコーナー係合突部５１を設けてもよい。なお、前記実施形態のコンテナ１０のように、コーナー係合突部５１を第１側壁２１のみに設けた構成にすれば、コンテナ１０を段積みする際に、上段側のコンテナ１０を斜めにして一方の第２側壁３１の真下部分を下段側のコンテナ１０に位置合わせして水平姿勢にする段積み方法を行うときに、下段側のコンテナ１０のコーナー係合突部５１が上段側のコンテナ１０に引っ掛かり難くなる。
【００４２】
（２）前記実施形態のコンテナ１０では、サイド係合孔部３３は、サイド突片３２を貫通していたが、サイド係合孔部３３はサイド突片３２を貫通していない構造であってもよい。
【００４３】
（３）前記実施形態のコンテナ１０は、下面に下面サブ突部４２に加えて下面中央突部４３も備えていたが、下面サブ突部４２のみを備えた構成にしてもよい。
【００４４】
（４）前記実施形態のコンテナ１０では、中央突部受容凹部５３における中央区画壁５４の両側に内側垂直壁５３Ｖが形成され、これに対応して各下面中央突部４３に係合溝４３Ｄが形成されていたが、内側垂直壁５３Ｖの代わりに中央突部受容凹部５３における中央区画壁５４の両側にそれぞれ図示しない係合突部を設けると共に、各下面中央突部４３の係合溝４３Ｄを廃止して、下面中央突部４３のうち仕切リブ４３Ｃにて仕切られた１つの凹部としての係合凹部と前記係合突部とが係合する構成にしてもよい。
【符号の説明】
【００４５】
１０    コンテナ
２１    第１側壁
２３    サイド係合突部
３１    第２側壁
３２    サイド突片
３３    サイド係合孔部
４１    下面メイン突部
４２    下面サブ突部
４２Ｄ    コーナー係合凹部
５０    突部受容凹部
５１    コーナー係合突部
【図１】
0006456608.tif 000002
【図２】
0006456608.tif 000003
【図３】
0006456608.tif 000004
【図４】
0006456608.tif 000005
【図５】
0006456608.tif 000006
【図６】
0006456608.tif 000007
【図７】
0006456608.tif 000008
【図８】
0006456608.tif 000009
【図９】
0006456608.tif 000010
【図１０】
0006456608.tif 000011
【図１１】
0006456608.tif 000012
【図１２】
0006456608.tif 000013
【図１３】
0006456608.tif 000014